(57)【要約】      （修正有）【課題】カメラ側の時刻とリモートコントローラ側の時刻とが一致しているか否かを、ユーザはカメラの設置位置まで移動してそのカメラを操作しなくとも、リモートコントローラ側で確認することができる。【解決手段】カメラは、標準時刻データを含むリモコン情報を受信するカメラ側受信部１１と、受信した前記標準時刻データに基づいてカメラ側標準時刻を設定する標準時刻設定部１４と、カメラ側標準時刻を含むカメラ情報を送信するカメラ側送信部１２と、を有し、リモートコントローラは、標準時刻データを受信する標準時刻データ受信部２２と、受信した前記標準時刻データを含むリモコン情報を送信するリモコン側送信部２４と、カメラ情報を受信するリモコン側受信部２５と、リモコン側受信部が受信したカメラ情報と、標準時刻データ受信部が受信した標準時刻データに基づいて設定されるリモコン側標準時刻とを表示する表示部３２と、を有する。【選択図】図１
2013135361.tif 000002
【特許請求の範囲】
【請求項１】
カメラと前記カメラを遠隔操作するリモートコントローラとを備えたカメラシステムにおいて、
前記カメラは、
前記リモートコントローラから送信される標準時刻データを含むリモコン情報を受信するカメラ側受信部と、
前記カメラ側受信部が受信した前記標準時刻データに基づいてカメラ側標準時刻を設定する標準時刻設定部と、
前記カメラ側標準時刻を含むカメラ情報を送信するカメラ側送信部と、を有し、前記リモートコントローラは、
前記標準時刻データを受信する標準時刻データ受信部と、
前記標準時刻データ受信部が受信した前記標準時刻データを含む前記リモコン情報を送信するリモコン側送信部と、
前記カメラ情報を受信するリモコン側受信部と、
前記リモコン側受信部が受信した前記カメラ情報と、前記標準時刻データ受信部が受信した前記標準時刻データに基づいて設定されるリモコン側標準時刻とを表示する表示部と、を有する
ことを特徴とするカメラシステム。
【請求項２】
前記表示部は、前記カメラ側標準時刻と前記リモコン側標準時刻とを並べて表示する
ことを特徴とする請求項１に記載のカメラシステム。
【請求項３】
前記リモートコントローラは、
音発生部をさらに有し、
前記音発生部は、前記カメラ側標準時刻と前記リモコン側標準時刻とが一致しないとき音を発する
ことを特徴とする請求項１または２に記載のカメラシステム。
【請求項４】
前記リモートコントローラは、
前記音発生部による音の発生を禁止する音発生禁止部をさらに有する
ことを特徴とする請求項３に記載のカメラシステム。
【請求項５】
前記カメラ情報は、シャッタースピード情報、絞り値情報、撮影枚数情報のうち少なくとも１つの情報を有し、
前記表示部は、前記カメラ側標準時刻と前記リモコン側標準時刻とともに、前記シャッタースピード情報、絞り値情報、撮影枚数情報のうち少なくとも１つの情報を表示する
ことを特徴とする請求項１〜４のいずれか１項に記載のカメラシステム。
【請求項６】
前記リモートコントローラは、前記リモートコントローラにおける操作を有効または無効にするリモコン側操作制御部をさらに有する
ことを特徴とする請求項１〜５のいずれか１項に記載のカメラシステム。
【請求項７】
前記リモートコントローラは、前記カメラにおける操作を有効または無効にするリモコン側操作制御部をさらに有し、
前記リモコン側送信部は、前記カメラにおける操作を有効または無効にする操作制御情報を送信する
ことを特徴とする請求項１〜６のいずれか１項に記載のカメラシステム。
【請求項８】
請求項１〜７のいずれか１項に記載のリモートコントローラ。
【発明の詳細な説明】
【技術分野】
【０００１】
この発明はカメラシステム及びリモートコントローラに関する。
【背景技術】
【０００２】
従来、デジタルカメラとこのデジタルカメラの撮像動作等を遠隔操作するリモコンユニットとで構成されるカメラ装置が知られている（下記特許文献１参照）。
【０００３】
リモコンユニットは電波時計回路により計時されている現在時刻を読み取り、この現在時刻に対応する赤外線信号を赤外線出力部からデジタルカメラへ出射する。
【０００４】
デジタルカメラ側では、リモコンユニットからの赤外線信号がリモコン受光部に入射すると、その赤外線信号を電気的なデジタル信号に変調し、これを時刻設定信号として内部クロックへ出力する。この時刻設定信号を受けた内部クロックは、計時中の時刻をリセットするとともに、時刻設定信号により得られた時刻を新たな現在時刻として設定し計時を再開する。
【先行技術文献】
【特許文献】
【０００５】
【特許文献１】特開２００４−５６５５４号公報
【発明の概要】
【発明が解決しようとする課題】
【０００６】
上述のカメラ装置では、リモコンユニット側からデジタルカメラ側へ一方的に標準時刻データが送信されるだけである。
【０００７】
したがって、デジタルカメラがリモコンユニットからの標準時刻データを受信して実際にそのデジタルカメラの時刻が更新されたかどうかを確認するには、ユーザがデジタルカメラの設置位置まで移動してそのデジタルカメラを操作しなければならないという問題があった。
【０００８】
この発明はこのような事情に鑑みてなされたもので、その課題は、カメラ側の時刻とリモートコントローラ側の時刻とが一致しているか否かを、ユーザがカメラの設置位置まで移動してカメラを操作しなくともリモートコントローラ側で確認することができるカメラシステム及びリモートコントローラを提供することである。
【課題を解決するための手段】
【０００９】
上記課題を解決するため請求項１に記載の発明は、カメラと前記カメラを遠隔操作するリモートコントローラとを備えたカメラシステムにおいて、前記カメラは、前記リモートコントローラから送信される標準時刻データを含むリモコン情報を受信するカメラ側受信部と、前記カメラ側受信部が受信した前記標準時刻データに基づいてカメラ側標準時刻を設定する標準時刻設定部と、前記カメラ側標準時刻を含むカメラ情報を送信するカメラ側送信部と、を有し、前記リモートコントローラは、前記標準時刻データを受信する標準時刻データ受信部と、前記標準時刻データ受信部が受信した前記標準時刻データを含む前記リモコン情報を送信するリモコン側送信部と、前記カメラ情報を受信するリモコン側受信部と、前記リモコン側受信部が受信した前記カメラ情報と、前記標準時刻データ受信部が受信した前記標準時刻データに基づいて設定されるリモコン側標準時刻とを表示する表示部と、を有することを特徴とする。
【００１０】
請求項２に記載の発明は、請求項１に記載のカメラシステムにおいて、前記表示部は、前記カメラ側標準時刻と前記リモコン側標準時刻とを並べて表示することを特徴とする。
【００１１】
請求項３に記載の発明は、請求項１または２に記載のカメラシステムにおいて、前記リモートコントローラは、音発生部をさらに有し、前記音発生部は、前記カメラ側標準時刻と前記リモコン側標準時刻とが一致しないとき音を発することを特徴とする。
【００１２】
請求項４に記載の発明は、請求項３に記載のカメラシステムにおいて、前記リモートコントローラは、前記音発生部による音の発生を禁止する音発生禁止部をさらに有することを特徴とする。
【００１３】
請求項５に記載の発明は、請求項１〜４のいずれか１項に記載のカメラシステムにおいて、前記カメラ情報は、シャッタースピード情報、絞り値情報、撮影枚数情報のうち少なくとも１つの情報を有し、前記表示部は、前記カメラ側標準時刻と前記リモコン側標準時刻とともに、前記シャッタースピード情報、絞り値情報、撮影枚数情報のうち少なくとも１つの情報を表示することを特徴とする。
【００１４】
請求項６に記載の発明は、請求項１〜５のいずれか１項に記載のカメラシステムにおいて、前記リモートコントローラは、前記リモートコントローラにおける操作を有効または無効にするリモコン側操作制御部をさらに有することを特徴とする。
【００１５】
請求項７に記載の発明は、請求項１〜６のいずれか１項に記載のカメラシステムにおいて、前記リモートコントローラは、前記カメラにおける操作を有効または無効にするリモコン側操作制御部をさらに有し、前記リモコン側送信部は、前記カメラにおける操作を有効または無効にする操作制御情報を送信することを特徴とする。
【００１６】
請求項８に記載の発明は、請求項１〜７のいずれか１項に記載のリモートコントローラ。
【発明の効果】
【００１７】
この発明によれば、カメラ側の時刻とリモートコントローラ側の時刻とが一致しているか否かを、ユーザがカメラの設置位置まで移動してカメラを操作しなくともリモートコントローラで確認することができる。
【図面の簡単な説明】
【００１８】
【図１】図１はこの発明の一実施形態に係るカメラシステムを示すブロック図である。
【図２】図２は図１のカメラシステムの動作を説明するフローチャートである。
【発明を実施するための形態】
【００１９】
以下、この発明の実施の形態を図面に基づいて説明する。
【００２０】
図１はこの発明の一実施形態に係るカメラシステムを示すブロック図であるこのカメラシステムはカメラ１０とカメラ１０を遠隔操作するリモートコントローラ２０（以下「リモコン」という）とで構成される。
【００２１】
カメラ１０は、リモコン２０から送信された標準時刻データを含むリモコン情報を受信するカメラ側受信回路（カメラ側受信部）１１と、カメラ側標準時刻データを含むカメラ情報を送信するカメラ側送信回路（カメラ側送信部）１２と、カメラ１０全体の制御を行うカメラ１０側のＣＰＵ１４と、基準クロックを発生する発振子１３とを備えている。カメラ１０には、デジタルカメラ、銀塩カメラが含まれるとともに、一眼レフカメラ、コンパクトカメラ等の各種のカメラが含まれる。
【００２２】
カメラ側受信回路１１は、後述するリモコン側送信回路２４から送信された標準時刻データを含むリモコン情報を受信する回路である。
【００２３】
カメラ側送信回路１２は、カメラ側標準時刻データ以外にシャッタースピード情報、絞り値情報、撮影枚数情報等のカメラ情報を送信する回路である。
【００２４】
ＣＰＵ１４はカメラ制御用のマイコンであり、図示しないＲＯＭに格納されたプログラムを実行する。ＣＰＵ１４は、カメラ側受信回路１１が受信した標準時刻データに基づいてカメラ側標準時刻を設定する標準時刻設定部として機能する。
【００２５】
リモコン２０は、リモコン２０側のＣＰＵ２１、電波時計受信アンテナ（標準時刻データ受信部）２２、電波時計処理回路２３、リモコン側送信回路（リモコン側送信部）２４、リモコン側受信回路（リモコン側受信部）２５、液晶表示部（表示部）３２、圧電ブザー（音発生部）２６、圧電ブザーオンオフスイッチ（音発生制御部）２７、時計データ送信スイッチ２８、レリーズスイッチ２９、パスワード設定スイッチ（リモコン側操作制御部、カメラ側操作制御部）３０、時計データマニュアル設定スイッチ３１等を備えている。
【００２６】
電波時計受信アンテナ２２は標準時刻送信所から送信される標準時刻データを受信するアンテナである。
【００２７】
電波時計処理回路２３は電波時計受信アンテナ２２が受信した標準時刻データを処理してＣＰＵ２１に送出する。
【００２８】
ＣＰＵ２１はリモコン制御用のマイコンであり、図示しないＲＯＭに格納されたプログラムを実行する。ＣＰＵ２１は電波時計受信アンテナ２２が受信した標準時刻データに基づいてリモコン側標準時刻を設定する。
【００２９】
リモコン側送信回路２４は、ＣＰＵ２１からの指示に応じて、電波時計受信アンテナ２２が受信した標準時刻データやレリーズ信号等を含むリモコン情報をカメラ１０側に送信する回路である。
【００３０】
リモコン側受信回路２５はカメラ側送信回路１２からのカメラ情報を受信する回路である。カメラ１０とリモコン２０との間の双方向通信が可能になる。
【００３１】
液晶表示部３２は、リモコン側受信回路２５が受信したカメラ情報から得られたカメラ側標準時刻、シャッタースピード、絞り値、撮影枚数等や、電波時計受信アンテナ２２が受信した標準時刻データから得られたリモコン側標準時刻を表示する表示部である。
【００３２】
圧電ブザー２６はカメラ側標準時刻とリモコン側標準時刻とが一致しているか否かを知らせるための音を発するブザーである。カメラ側標準時刻とリモコン側標準時刻とが一致しているときに発せられる音と、一致していないときに発せられる音とは異なる。
【００３３】
圧電ブザーオンオフスイッチ２７は圧電ブザー２６の音の発生を禁止するオンオフ切替スイッチである。
【００３４】
時計データ送信スイッチ２８は、電波時計受信アンテナ２２が受信した標準時刻データをカメラ１０側に送信するスイッチである。
【００３５】
レリーズスイッチ２９は、レリーズ信号をカメラ１０側に送信する２段スイッチである。レリーズスイッチ２９を半押ししたとき、レリーズ信号がリモコン側送信回路２４からカメラ１０側に送信され、カメラ側受信回路１１がレリーズ信号を受信すると、シャッタースピード情報、絞り値情報、撮影枚数情報等のカメラ情報がリモコン２０側に送信される。なお、レリーズスイッチ２９を全押ししたときには、カメラ１０のレリーズボタン（図示せず）のレリーズ機能が働く。
【００３６】
パスワード設定スイッチ３０は、パスワードを設定してリモコン２０の操作を有効又は無効にしたり、カメラ１０の操作を有効又は無効にしたりするスイッチである。
【００３７】
時計データマニュアル設定スイッチ３１は、電波時計受信アンテナ２２が標準時刻データを受信できない環境において、時刻をマニュアルで設定するスイッチである。
【００３８】
次に、図２に基づいてこの実施形態のカメラシステムの動作の一例を説明する。
【００３９】
図２はこの実施形態のカメラシステムの動作を説明するフローチャートである。図２においてＳ２０１〜Ｓ２２０は処理の各ステップを示す。
【００４０】
まず、パスワード設定スイッチ３０（パスワード設定ＳＷ）がオンか否かが判定される（Ｓ２０１）。
【００４１】
パスワード設定スイッチ３０がオンのとき（ＹＥＳ）、カメラ１０の操作を無効にする操作制御情報がリモコン側送信回路２４からカメラ１０側に送信され（ステップＳ２１８）、リモコン２０の操作を無効にし（ステップＳ２１９）、カメラ１０の操作を無効にし（ステップＳ２２０）、プログラムは終了する。リモコン２０やカメラ１０の操作を可能にするには、パスワード設定スイッチ３０をオフにし、カメラ１０の電池を抜き差ししてカメラ１０をリセットする。
【００４２】
Ｓ２０１において、パスワード設定スイッチ３０がオフのとき（ＮＯ）、時計データマニュアル設定スイッチ３１（時計データマニュアル設定ＳＷ）がオンか否かが判定される（Ｓ２０２）。
【００４３】
時計データマニュアル設定スイッチ３１がオフのとき（ＮＯ）、電波時計受信アンテナ２２を通じて標準時刻データを取得し（Ｓ２０３）、その標準時刻データから得られた標準時刻（リモコン側標準時刻）を液晶表示部３２（ＬＣＤ）に表示する（Ｓ２０５）。
【００４４】
一方、時計データマニュアル設定スイッチ３１がオンのとき（ＹＥＳ）、リモコン２０側の時刻をマニュアルで設定し（Ｓ２０４）、設定された時刻を液晶尿時部３２に表示する（Ｓ２０５）。
【００４５】
次に、時計データ送信スイッチ２８がオンか否かが判定される（Ｓ２０６）。
【００４６】
時計データ送信スイッチ２８がオフのとき（ＮＯ）、ステップＳ２０２に戻る。
【００４７】
時計タータ送信スイッチ２８がオンのとき（ＹＥＳ）、電波時計受信アンテナ２２が受信した標準時刻データをカメラ１０側に送信する（Ｓ２０７）。
【００４８】
また、カメラ側標準時刻データをカメラ１０側からリモコン２０側に送信する（Ｓ２０８）。
【００４９】
次に、レリーズスイッチ２９が半押しか否かが判定される（Ｓ２０９）。
【００５０】
レリーズスイッチ２９がオフのとき（ＮＯ）、ステップＳ２０２に戻る。
【００５１】
レリーズスイッチ２９がオンのとき（ＹＥＳ）、レリーズ信号をリモコン２０側からカメラ１０側に送信し（Ｓ２１０）、シャッタースピード情報、絞り値情報、撮影枚数情報等をカメラ１０側からリモコン２０側に送信する（Ｓ２１１）。
【００５２】
次に、カメラ側標準時刻とリモコン側標準時刻とが一致するか否かが判定される（Ｓ２１２）。
【００５３】
カメラ側標準時刻とリモコン側標準時刻とが一致するとき（ＹＥＳ）、圧電ブザーオンオフスイッチ２７がオンか否かが判定される（Ｓ２１５）。
【００５４】
圧電ブザーオンオフスイッチ２７がオンのとき（ＹＥＳ）、カメラ側標準時刻とリモコン側標準時刻とが一致していることを知らせる音が電圧ブザー２６から発せられる（Ｓ２１６）。また、カメラ側標準時刻、シャッタースピード、絞り値、撮影枚数等を液晶表示部３２に表示し（Ｓ２１７）、ステップＳ２０２に戻る。
【００５５】
圧電ブザーオンオフスイッチ２７がオフのとき（ＮＯ）、ステップＳ２１７に進み、カメラ側標準時刻、シャッタースピード、絞り値、撮影枚数等を液晶表示部３２に表示する。
【００５６】
ステップＳ２１２において、カメラ側標準時刻とリモコン側標準時刻とが一致していないとき（ＮＯ）、圧電ブザーオンオフスイッチ２７がオンか否かが判定される（Ｓ２１３）。
【００５７】
圧電ブザーオンオフスイッチ２７がオフのとき（ＮＯ）、ステップＳ２１７に進む。圧電ブザーオンオフスイッチ２７がオンのとき（ＹＥＳ）、カメラ側標準時刻とリモコン側標準時刻とが不一致であることを知らせる音が圧電ブザー２６から発せられ（Ｓ２１４）、ステップＳ２０２に戻る。カメラ側標準時刻とリモコン側標準時刻とが不一致であることを知らせる音は、一致していることを知らせる音と異なる。
【００５８】
この実施形態によれば、リモコン側標準時刻とカメラ側標準時刻とがリモコン２０の液晶表示部３２に並べて表示されるので、ユーザはカメラ１０の設置位置まで移動してそのカメラ１０を操作しなくとも、リモコン側標準時刻とカメラ側標準時刻とが一致したか否かを確認することができ、確認作業の煩雑さが解消される。
【００５９】
また、リモコン側標準時刻とカメラ側標準時刻とが一致したか否かを知らせるブザー音が発せられるので、時刻確認の利便性が向上するし、視覚に障害を持つユーザにとっては時刻確認が可能となる。圧電ブザーオンオフスイッチ２７を操作してブザー音を出さないようにすることもできるので、音を出してはならないような環境下でも安心してこのカメラシステムを使用することができる。
【００６０】
更に、パスワード設定スイッチ３０を操作してカメラ１０の操作を無効にしたり、リモコン２０の操作を無効にしたりすることができるので、本人以外の人間がカメラ１０やリモコン２０を操作するのを禁止することができる。
【００６１】
また、レリーズスイッチ２９を半押しするとシャッタースピード、絞り値、撮影枚数等のカメラ情報がリモコン２０の液晶表示部３２に表示されるので、ユーザはカメラ１０の設置位置まで移動してそのカメラ１０を操作しなくとも、適切な撮影が可能になる。
【符号の説明】
【００６２】
１０：カメラ、１１：カメラ側受信回路（カメラ側受信部）、１２：カメラ側送信回路（カメラ側送信部）、１３：発振子、１４：ＣＰＵ、２０：リモコン、２１：ＣＰＵ、２２：電波時計受信アンテナ（標準時刻データ受信部）、２３：電波時計処理回路、２４：リモコン側送信回路（リモコン側送信部）、２５：リモコン側受信回路（リモコン側受信部）、２６：圧電ブザー（音発生部）、２７：圧電ブザーオンオフスイッチ（音発生制御部）、２８：時計データ送信スイッチ、２９：レリーズスイッチ、３０：パスワード設定スイッチ（リモコン側操作制御部、カメラ側操作制御部）、３１：時計データマニュアル設定スイッチ、３２：液晶表示部（表示部）。
【図１】
2013135361.tif 000003
【図２】
2013135361.tif 000004